(57)【特許請求の範囲】
【請求項１】
電力線通信装置において、
送信端の電圧変化装置を用いて入力電源波形のゼロ電圧（Ｚｅｒｏ  Ｃｒｏｓｓｉｎｇ）地点をスタート点にし、所定の周期の電圧を単位時間にして、所定の電圧だけ変化させ、送信データを含む変化された電源電圧を送信し、受信端の電圧センシング装置で、電力線を通じて供給される前記変化された電源電圧を感知し、ゼロ電圧地点をスタート点にし、実効値（ＲＭＳ；Ｒｏｏｔ  Ｍｅａｎ  Ｓｑｕａｒｅ）電圧を測定して、前記変化した電源電圧から前記送信データを受信することを特徴とする、
電力線通信における常用電源の振幅の変化を用いたディミング制御装置。
【請求項２】
前記入力電源波形の電圧が一定でないとき、前記電圧変化装置は送信データがＨｉｇｈ（１）であれば、前記単位時間の間、前記所定の電圧だけ変化させず、送信データがＬｏｗ（０）であれば、前記単位時間の間、前記所定の電圧だけ変化させることを特徴とする、請求項１に記載の電力線通信における常用電源の振幅の変化を用いたディミング制御装置。
【請求項３】
前記電圧センシング装置は、初期に前記電力線を通じて受信された電源電圧の実効値電圧を測定し、測定された電圧とは関係なく、波形はＨｉｇｈ（１）に約束し、それ以後、約束された単位時間ごとに実効値電圧を測定し、初期の測定された電圧より臨界電圧以上に下降した電圧であれば、最初のデータを０に決定及びデータの受信を開始し、それ以後、測定電圧が以前の電圧に比べて、その変化が前記臨界電圧未満であれば、受信データを以前のデータと同一に決定し、その変化が前記臨界電圧以上に上昇変化すれば、受信データをＨｉｇｈ（１）に決定し、その変化が前記臨界電圧以上に下降変化すれば、受信データをＬｏｗ（０）に決定することを特徴とする、請求項２に記載の電力線通信における常用電源の振幅の変化を用いたディミング制御装置。
【請求項４】
前記電圧センシング装置は、前記送信端から受信したデータをＰＷＭ信号のデューティ（ＤＵＴＹ）を変化させ、ランプの明るさの調節（Ｄｉｍｍｉｎｇ）及び電動機速度の調節のための制御信号として使用することを特徴とする、請求項３に記載の電力線通信における常用電源の振幅の変化を用いたディミング制御装置。
【請求項５】
前記電圧変化装置は、街路灯分電箱に備えられ、前記電圧センシング装置は、個別の街灯柱内のランプ電源装置に備えられ、前記電圧変化装置は、負荷に電力を供給しながら電圧を変化させるために第１の巻線の下端と第２の巻線の上端がディミングスイッチで連結された２段のタブ単巻変圧器と、前記第１の巻線の上端に供給される入力電源と一端が連結され、他端が前記第１の巻線の下端と前記負荷とを連結する電源線路に連結されるバイパススイッチと、前記第２の巻線の第１のタブに一端が連結され、他端が共通線に連結された第１のスイッチと、前記第２の巻線の第１のタブに一端が連結され、他端が前記共通線に連結された第１の抵抗に連結された第２のスイッチと、前記第２の巻線の第２のタブに一端が連結され、他端が前記共通線に連結された第３のスイッチと、前記第２の巻線の第２のタブに一端が連結され、他端が前記共通線に連結された第２の抵抗に連結された第４のスイッチと、を含むことを特徴とする、請求項１に記載の電力線通信における常用電源の振幅の変化を用いたディミング制御装置。
【請求項６】
送信端の電圧変化装置を用いて入力電源波形のゼロ電圧（Ｚｅｒｏ  Ｃｒｏｓｓｉｎｇ）地点をスタート点にし、所定の周期の電圧を単位時間にして、所定の電圧だけ変化させ、送信データを含む変化された電源電圧を送信し、受信端から電力線を通じて供給される前記変化された電源電圧を感知し、ゼロ電圧地点をスタート点にし、実効値（ＲＭＳ；Ｒｏｏｔ  Ｍｅａｎ  Ｓｑｕａｒｅ）電圧を測定して、前記変化した電源電圧から前記送信データを受信することを特徴とする、
電力線通信における常用電源の振幅の変化を用いたディミング制御方法。
【請求項７】
前記入力電源波形の電圧が一定でないとき、前記電圧変化装置は送信データがＨｉｇｈ（１）であれば、前記所定の電圧だけ変化させず、送信データがＬｏｗ（０）であれば、前記所定の電圧だけ変化させることを特徴とする、請求項６に記載の電力線通信における常用電源の振幅の変化を用いたディミング制御方法。
【請求項８】
前記電圧センシング装置は、初期に前記電力線を通じて受信された電源電圧の実効値電圧を測定し、測定された電圧とは関係なく、波形はＨｉｇｈ（１）に約束し、それ以後、約束された単位時間ごとに実効値電圧を測定し、初期の測定された電圧より臨界電圧以上に下降した電圧であれば、最初のデータを０に決定及びデータの受信を開始し、それ以後、測定電圧が以前の電圧に比べて、その変化が前記臨界電圧未満であれば、受信データを以前のデータと同一に決定し、その変化が前記臨界電圧以上に上昇変化すれば、受信データをＨｉｇｈ（１）に決定し、その変化が前記臨界電圧以上に下降変化すれば、受信データをＬｏｗ（０）に決定することを特徴とする、請求項７に記載の電力線通信における常用電源の振幅の変化を用いたディミング制御方法。
【請求項９】
前記電圧センシング装置は、前記送端から受信したデータをＰＷＭ信号のデューティ（ＤＵＴＹ）を変化させ、ランプの明るさの調節（Ｄｉｍｍｉｎｇ）及び電動機速度の調節のための制御信号として使用することを特徴とする、請求項８に記載の電力線通信における常用電源の振幅の変化を用いたディミング制御方法。
【請求項１０】
送信端の電圧変化装置において、入力電源波形のゼロ電圧（Ｚｅｒｏ  Ｃｒｏｓｓｉｎｇ）地点をスタート点にし、データ未転送の状態ではＨｉｇｈを維持し、転送しようとするデータ値に対応してＬＯＷ状態の時間を単位時間のｎ倍数に維持するように所定の電圧だけ変化させ、送信データを含む変化された電源電圧を送信し、受信端から電力線を通じて供給される前記変化された電源電圧を感知し、ゼロ電圧地点をスタート点にし、実効値（ＲＭＳ；Ｒｏｏｔ  Ｍｅａｎ  Ｓｑｕａｒｅ）電圧を測定して、前記変化した電源電圧から前記送信データを受信することを特徴とする、
電力線通信における常用電源の振幅の変化を用いたディミング制御方法。
【請求項１１】
前記電圧変化装置は、街路灯分電箱に備えられ、前記電圧センシング装置は、個別の街灯柱内のランプ電源装置に備えられ、前記電圧変化装置は、負荷に電力を供給しながら電圧を変化させるために第１の巻線の下端と第２の巻線の上端がディミングスイッチで連結された２段のタブ単巻変圧器と、前記第２の巻線の第１のタブに一端が連結され、他端が共通線に連結された第１のスイッチと、前記第２の巻線の第１のタブに一端が連結され、他端が前記共通線に連結された第１の抵抗に連結された第２のスイッチと、前記第２の巻線の第２のタブに一端が連結され、他端が前記共通線に連結された第３のスイッチと、前記第２の巻線の第２のタブに一端が連結され、他端が前記共通線に連結された第２の抵抗に連結された第４のスイッチと、を含み、前記ディミングスイッチ及び前記第１のスイッチがオン（ＯＮ）の状態で、前記電圧変化装置が電圧を変化させるために、前記第１のタブから第２のタブに転換する際に、前記第２のスイッチをオン（ＯＮ）させる第１の段階と、前記第４のスイッチをオン（ＯＮ）させる第２の段階と、前記第１のスイッチをオフ（ＯＦＦ）させる第３の段階と、前記第３のスイッチをオン（ＯＮ）させる第４の段階と、前記第２のスイッチをオフ（ＯＦＦ）させる第５の段階と、前記第４のスイッチをオフ（ＯＦＦ）させる第６の段階と、を行って、前記タブの転換を行うことを特徴とする、請求項６または１０に記載の電力線通信における常用電源の振幅の変化を用いたディミング制御方法。
【請求項１２】
前記電圧変化装置は、前記第１の巻線の上端に供給される入力電源と一端が連結され、他端が前記第１の巻線の下端と前記負荷とを連結する電源線路に連結されるバイパススイッチをさらに含むことを特徴とする、請求項１１に記載の電力線通信における常用電源の振幅の変化を用いたディミング制御方法。
【発明の詳細な説明】
【技術分野】
【０００１】
本発明は、電力線通信装置及び方法に関し、特に、電力線通信の劣悪なチャンネル環境を克服するために、送信端から伝達しようとするデータを、電力線を通じて供給される常用電源の電圧（振幅）を変化させて送信し、これを受信端から電力線を通じて供給される電源の電圧をセンシングしてデータを受信する電力線通信における常用電源の振幅の変化を用いたディミング制御装置及び方法に関する。
【背景技術】
【０００２】
電力線通信（ＰＬＣ；Ｐｏｗｅｒ  Ｌｉｎｅ  Ｃｏｍｍｕｎｉｃａｔｉｏｎ）は、電力線を通信線として使用して、１００ｋＨｚ〜３０ＭＨｚの通信信号を高周波フィルタを用いて分離して送受信する方法であって、周波数多重分割方式によって電源と通信信号を多重化して同時に転送するところ、一般的に６０Ｈｚの電源及び通信信号として数十ｋＨｚ〜数ＭＨｚの高周波信号を使用する。電力線通信の送信端及び受信端における原理を図１Ａ及び図１Ｂに簡略に示した。
【０００３】
電力線通信は、照明、ホームネットワークなどの様々な分野に適用することができるところ、そのうち、街路灯、両方向管制システムを例に挙げると、街路灯分電箱内に位置したマスター（Ｍａｓｔｅｒ）モデムが電力線を媒介体にしてディミング命令を転送し、街灯柱内に位置するスレーブ（Ｓｌａｖｅ）モデムが命令を受信し、これに合わせてディミング用安定器を制御することでランプの明るさを制御する方式である。
【０００４】
このように、電力線通信を用いた街路灯の両方向管制システムは、別途の線路工事なしに既存の個別の街灯柱と分電箱に電力線通信システムを設け、管理担当の役員のパトロールや申請者の申告による状況の発生前に中央統制システムを通じてリアルタイムで個別の街路灯の状況を一目で把握することができ、個別の街路灯の漏電、安定器、ランプの故障の際に直ちに電源を遮断し、管理担当の携帯電話または中央制御局に状況の発生に関する情報を通報する。
【０００５】
前述したように、電力線通信は別途の通信線路が不要であり、設置が容易であり、別途の通信料金が不要であるという利点がある。
【０００６】
しかし、電力線通信は、制限された転送電力により通信距離において限界があり、電動モーターのように非同期的に発生するノイズや６０Ｈｚの定数倍の周波数から発生する高周波ノイズ、さらに電子機器のスイッチを連結または遮断する際に発生する独立的なインパルスノイズなどの高い負荷干渉と雑音が発生し、環境によるインピーダンスの変化によって信号減衰の不確実性が存在するという問題がある。
【０００７】
前述した電力線通信の問題が発生する具体的な理由は次のようである。先ず、電力線は、本来、電気エネルギーの伝達を目的として製作されたものなので、６０Ｈｚの低周波電気信号に対して適当であるように設計されている。つまり、高周波信号の伝達特性には関心がなく、これによって、単に絶縁要件のみを満たせるように作られた電力線の被覆と、任意に設けられる分岐回路及び各種の負荷機器が電力線チャンネルの特性に影響を与える要因として作用する。
【０００８】
従って、このような電力線の特性により、相対的に高周波信号である通信信号は、周波数の増加によって大きく減殺され、分岐による信号損失と歪曲に耐えなければならず、電気エネルギーの伝達過程で発生する熱による背景雑音と共に、絶縁被覆では防止できない外部からの様々な干渉信号が存在するようになるので、このような電力線通信の問題を克服するための方案が切実に要望される。
【発明の概要】
【発明が解決しようとする課題】
【０００９】
前述した問題を解決するために、本発明の第１の目的は、制御信号を転送するための別途の通信線路が不要であり、設置が容易であり、通信料金が不要であると共に、転送電力の限界がないことから距離の限界を有しないため、２２０Ｖ／６０Ｈｚが伝達される範囲ならどこでも電力線通信が可能な電力線通信における常用電源の振幅の変化を用いたディミング制御装置及び方法を提供することにある。
【００１０】
また、本発明の第２の目的は、負荷干渉及び雑音の影響が少なく、信号減衰の不確実性が消えると共に、周波数変調装置を用いた周波数変調技術は不要であり、別途のカップラー装置が不要である電力線通信における常用電源の振幅の変化を用いたディミング制御装置及び方法を提供することにある。
【００１１】
また、本発明の第３の目的は、別途の線路工事なしに、従来の街路灯分電箱と個別の街灯柱にそれぞれ電圧変化装置（街路灯分電箱内に位置）と、電圧センシング装置を含むランプ電源装置（個別の街灯柱内に位置）と、を設け、環境及び必要に応じて街路灯の明るさを制御（ディミング）することができ、これを通じてエネルギーの節約が可能な街路灯ランプディミング制御方式に適用できる電力線通信における常用電源の振幅の変化を用いたディミング制御装置及び方法を提供することにある。
【００１２】
また、本発明の第４の目的は、既存の電圧変化を通じたディミングシステムとは異なって、データ通信を通じて制御できるディミング段階を、送受信データのビット数がｎである場合、２ｎ段階の制御ができると共に、ビット数を増やすことにおいて、制限的な要素なしに更に多くの段階の制御が可能な電力線通信における常用電源の振幅の変化を用いたディミング制御装置及び方法を提供することにある。
【課題を解決するための手段】
【００１３】
前述した目的を達成するための本発明は、電力線通信における常用電源の振幅の変化を用いたディミング制御装置において、送信端の電圧変化装置を用いて入力電源波形のゼロ電圧（Ｚｅｒｏ  Ｃｒｏｓｓｉｎｇ）地点をスタート点にし、所定の周期の電圧を単位時間にして、所定の電圧だけ変化させ、送信データを含む変化された電源電圧を送信し、受信端の電圧センシング装置で、電力線を通じて供給される前記変化された電源電圧を感知し、ゼロ電圧地点をスタート点にし、実効値（ＲＭＳ；Ｒｏｏｔ  Ｍｅａｎ  Ｓｑｕａｒｅ）電圧を測定して、前記変化した電源電圧から前記送信データを受信することを特徴とする。
【００１４】
また、本発明に係る電力線通信における常用電源の振幅の変化を用いたディミング制御装置は、前記入力電源波形の電圧が一定でないと、前記電圧変化装置は送信データがＨｉｇｈ（１）であれば、前記単位時間の間、前記所定の電圧だけ変化させず、送信データがＬｏｗ（０）であれば、前記単位時間の間、前記所定の電圧だけ変化させることを特徴とする。つまり、単位時間の間の変化量を測定する。よって、徐々に変化する量は無視される。
【００１５】
また、本発明に係る電力線通信における常用電源の振幅の変化を用いたディミング制御装置の前記電圧センシング装置は、初期に前記電力線を通じて受信された電源電圧の実効値電圧を測定し、測定された電圧とは関係なく、波形はＨｉｇｈ（１）に約束し、それ以後、約束された単位時間ごとに実効値電圧を測定し、初期の測定された電圧より臨界電圧以上に下降した電圧であれば、最初のデータを０に決定及びデータの受信を開始し、それ以後、測定電圧が以前の電圧に比べて、その変化が前記臨界電圧未満であれば、受信データを以前のデータと同一に決定し、その変化が前記臨界電圧以上に上昇変化すれば、受信データをＨｉｇｈ（１）に決定し、その変化が前記臨界電圧以上に下降変化すれば、受信データをＬｏｗ（０）に決定することを特徴とする。
【００１６】
また、本発明に係る電力線通信における常用電源の振幅の変化を用いたディミング制御装置の前記電圧センシング装置は、前記送信端から受信したデータをＰＷＭ信号のデューティ（ＤＵＴＹ）を変化させ、ランプの明るさの調節（Ｄｉｍｍｉｎｇ）及び電動機速度の調節のための制御信号として使用することを特徴とする。
【００１７】
さらに、本発明に係る電力線通信における常用電源の振幅の変化を用いたディミング制御装置の前記電圧変化装置は、街路灯分電箱に備えられ、前記電圧センシング装置は、個別の街灯柱内のランプ電源装置に備えられ、前記電圧変化装置は、負荷に電力を供給しながら電圧を変化させるために第１の巻線の下端と第２の巻線の上端がディミングスイッチで連結された２段のタブ単巻変圧器と、前記第１の巻線の上端に供給される入力電源と一端が連結され、他端が前記第１の巻線の下端と前記負荷とを連結する電源線路に連結されるバイパススイッチと、前記第２の巻線の第１のタブに一端が連結され、他端が共通線に連結された第１のスイッチと、前記第２の巻線の第１のタブに一端が連結され、他端が前記共通線に連結された第１の抵抗に連結された第２のスイッチと、前記第２の巻線の第２のタブに一端が連結され、他端が前記共通線に連結された第３のスイッチと、前記第２の巻線の第２のタブに一端が連結され、他端が前記共通線に連結された第２の抵抗に連結された第４のスイッチと、を含むことを特徴とする。
【００１８】
また、前述した目的を達成するための本発明は、電力線通信における常用電源の振幅の変化を用いたディミング制御方法において、送信端の電圧変化装置を用いて入力電源波形のゼロ電圧（Ｚｅｒｏ  Ｃｒｏｓｓｉｎｇ）地点をスタート点にし、所定の周期の電圧を単位時間にして、所定の電圧だけ変化させ、送信データを含む変化された電源電圧を送信し、受信端から電力線を通じて供給される前記変化された電源電圧を感知し、ゼロ電圧地点をスタート点にし、実効値（ＲＭＳ；Ｒｏｏｔ  Ｍｅａｎ  Ｓｑｕａｒｅ）電圧を測定して、前記変化した電源電圧から前記送信データを受信することを特徴とする。
【００１９】
尚、本発明に係る電力線通信における常用電源の振幅の変化を用いたディミング制御方法は、前記入力電源波形の電圧が一定でないと、前記電圧変化装置は送信データがＨｉｇｈ（１）であれば、前記所定の電圧だけ変化させず、送信データがＬｏｗ（０）であれば、前記所定の電圧だけ変化させることを特徴とする。
【００２０】
また、本発明に係る電力線通信における常用電源の振幅の変化を用いたディミング制御方法において、前記電圧センシング装置は、初期に前記電力線を通じて受信された電源電圧の実効値電圧を測定し、測定された電圧とは関係なく、波形はＨｉｇｈ（１）に約束し、それ以後、約束された単位時間ごとに実効値電圧を測定し、初期の測定された電圧より臨界電圧以上に下降した電圧であれば、最初のデータを０に決定及びデータの受信を開始し、それ以後、測定電圧が以前の電圧に比べて、その変化が前記臨界電圧未満であれば、受信データを以前のデータと同一に決定し、その変化が前記臨界電圧以上に上昇変化すれば、受信データをＨｉｇｈ（１）に決定し、その変化が前記臨界電圧以上に下降変化すれば、受信データをＬｏｗ（０）に決定することを特徴とする。
【００２１】
また、本発明に係る電力線通信における常用電源の振幅の変化を用いたディミング制御方法において、前記電圧センシング装置は、前記送端から受信したデータをＰＷＭ信号のデューティ（ＤＵＴＹ）を変化させ、ランプの明るさの調節（Ｄｉｍｍｉｎｇ）及び電動機速度の調節のための制御信号として使用することを特徴とする。
【００２２】
また、本発明に係る電力線通信における常用電源の振幅の変化を用いたディミング制御方法において、送信端の電圧変化装置において、入力電源波形のゼロ電圧（Ｚｅｒｏ  Ｃｒｏｓｓｉｎｇ）地点をスタート点にし、データ未転送の状態ではＨｉｇｈを維持し、転送しようとするデータ値に対応してＬＯＷ状態の時間を単位時間のｎ倍数に維持するように所定の電圧だけ変化させ、送信データを含む変化された電源電圧を送信し、受信端から電力線を通じて供給される前記変化された電源電圧を感知し、ゼロ電圧地点をスタート点にし、実効値（ＲＭＳ；Ｒｏｏｔ  Ｍｅａｎ  Ｓｑｕａｒｅ）電圧を測定して、前記変化した電源電圧から前記送信データを受信することを特徴とする。
【００２３】
また、本発明に係る電力線通信における常用電源の振幅の変化を用いたディミング制御方法において、前記電圧変化装置は、街路灯分電箱に備えられ、前記電圧センシング装置は、個別の街灯柱内のランプ電源装置に備えられ、前記電圧変化装置は、負荷に電力を供給しながら電圧を変化させるために第１の巻線の下端と第２の巻線の上端がディミングスイッチで連結された２段のタブ単巻変圧器と、前記第２の巻線の第１のタブに一端が連結され、他端が共通線に連結された第１のスイッチと、前記第２の巻線の第１のタブに一端が連結され、他端が前記共通線に連結された第１の抵抗に連結された第２のスイッチと、前記第２の巻線の第２のタブに一端が連結され、他端が前記共通線に連結された第３のスイッチと、前記第２の巻線の第２のタブに一端が連結され、他端が前記共通線に連結された第２の抵抗に連結された第４のスイッチと、を含み、前記ディミングスイッチ及び前記第１のスイッチがオン（ＯＮ）の状態で、前記電圧変化装置が電圧を変化させるために、前記第１のタブから第２のタブに転換する際に、前記第２のスイッチをオン（ＯＮ）させる第１の段階と、前記第４のスイッチをオン（ＯＮ）させる第２の段階と、前記第１のスイッチをオフ（ＯＦＦ）させる第３の段階と、前記第３のスイッチをオン（ＯＮ）させる第４の段階と、前記第２のスイッチをオフ（ＯＦＦ）させる第５の段階と、前記第４のスイッチをオフ（ＯＦＦ）させる第６の段階と、を行って、前記タブの転換を行うことを特徴とする。
【００２４】
さらに、本発明に係る電力線通信における常用電源の振幅の変化を用いたディミング制御方法において、前記電圧変化装置は、前記第１の巻線の上端に供給される入力電源と一端が連結され、他端が前記第１の巻線の下端と前記負荷とを連結する電源線路に連結されるバイパススイッチをさらに含むことを特徴とする。
【発明の効果】
【００２５】
前述したように、本発明は、制御信号を転送するための別途の通信線路が不要であり、設置が容易であり、通信料金が不要であるという利点がある。
【００２６】
また、本発明は、転送電力の限界をなくすことで、距離の限界を有しないため、２２０Ｖ／６０Ｈｚが伝達される範囲ならどこでも電力線通信が可能であり、電力線のＲＭＳ電圧を測定することで、電圧センシングの際にノイズが平均化して消えるため、負荷干渉及び雑音の影響が少なく、電力線のインピーダンスは６０Ｈｚに合うように設計されるため、信号減衰の不確実性が消えると共に、電圧変化装置を使用することで、周波数変調装置を用いた周波数変調技術が不要であり、別途のカップラー（Ｃｏｕｐｌｅｒ）装置が不要であるという利点がある。
【００２７】
これによって、本発明は、本発明を適用した街路灯ランプのディミング制御方式に別途の線路工事なしに既存の個別の街灯柱と街路灯分電箱に電圧変化装置と電圧センシング装置を設け、環境及び必要に応じて街路灯の明るさを制御（ディミング）することができ、これを通じてエネルギーを節約することができる効果がある。
【００２８】
また、本発明は、従来の電圧変化を通じたディミングシステムとは異なって、データ通信を通じて制御可能なディミング段階を送受信データのビット数がｎである場合、２ｎ段階の制御が可能な街路灯ランプのディミング制御方式を提供することができるという利点があり、ビット数を増やすことにおいて制限的な要素がなく、これを通じて更に多くの段階制御が可能であるという利点がある。
【００２９】
尚、本発明は、転送しようとするデータ値に対応するように単位時間のｎ倍数でＬＯＷを転送し、データの未転送時にはＨＩＧＨに維持するデータ送受信方法の場合、送信端装置のスイッチング変化数量が下降と上昇の２回のみを通じて行われることができるため、システムを安定的に動作させることができ、受信端でもセンシングに対する複雑性が消えるという利点がある。
【００３０】
また、本発明は、電圧が変化する過程中でも受信端の動作に必要な電力の遮断なしに電圧の変化が可能なので、受信端制御部がバッテリーなしに安定的に動作することができるという利点がある。
【図面の簡単な説明】
【００３１】
【図１Ａ】一般的な電力線通信の送信端及び受信端での原理を示す図である。
【図１Ｂ】一般的な電力線通信の送信端及び受信端での原理を示す図である。
【図２Ａ】本発明の電力線通信装置及び方法による送受信端の基本原理を示す図である。
【図２Ｂ】本発明の電力線通信装置及び方法による送受信端の基本原理を示す図である。
【図３Ａ】実際の電力線使用環境における本発明の電力線通信装置及び方法による送受信端の応用原理を示す図である。
【図３Ｂ】実際の電力線使用環境における本発明の電力線通信装置及び方法による送受信端の応用原理を示す図である。
【図４】本発明に係る電力線通信装置及び方法を街路灯ランプディミング制御に適用した構成図である。
【図５】本発明に係る電力線通信装置及び方法に使用される電圧変化装置の回路図である。
【図６Ａ】図５の電圧変化装置の電圧変化時の状態を示す回路図である。
【図６Ｂ】図５の電圧変化装置の電圧変化時の状態を示す回路図である。
【図６Ｃ】図５の電圧変化装置の電圧変化時の状態を示す回路図である。
【図７Ａ】図５の電圧変化装置の電圧変化の過程を段階別に示す回路図である。
【図７Ｂ】図５の電圧変化装置の電圧変化の過程を段階別に示す回路図である。
【図７Ｃ】図５の電圧変化装置の電圧変化の過程を段階別に示す回路図である。
【図７Ｄ】図５の電圧変化装置の電圧変化の過程を段階別に示す回路図である。
【図７Ｅ】図５の電圧変化装置の電圧変化の過程を段階別に示す回路図である。
【図７Ｆ】図５の電圧変化装置の電圧変化の過程を段階別に示す回路図である。
【図７Ｇ】図５の電圧変化装置の電圧変化の過程を段階別に示す回路図である。
【図８】本発明に係る電力線通信装置及び方法を街路灯ランプディミング制御方式に適用する場合の街路灯分電盤の構成を示す図である。
【図９】本発明に係る電力線通信装置及び方法に使用される受信部の電圧センシング装置のブロック構成図である。
【図１０Ａ】図９の電圧センシング装置の電圧変換器の一例を示す図である。
【図１０Ｂ】図９の電圧センシング装置の電圧変換器の一例を示す図である。
【図１０Ｃ】図９の電圧センシング装置の電圧変換器の一例を示す図である。
【図１１Ａ】図９の電圧センシング装置の電波整流回路とサンプリング方法をそれぞれ示す図である。
【図１１Ｂ】図９の電圧センシング装置の電波整流回路とサンプリング方法をそれぞれ示す図である。
【図１２Ａ】図９の電圧センシング装置の電圧の実効値を計算して受信データを抽出する方法をそれぞれ示す図である。
【図１２Ｂ】図９の電圧センシング装置の電圧の実効値を計算して受信データを抽出する方法をそれぞれ示す図である。
【図１３】図９の電圧センシング装置のＣＰＵの制御信号として使用するＰＷＭ信号の一例を示す図である。
【図１４】表１による命令転送フレームのフォーマットを示す図である。
【図１５Ａ】ビットの種類によるパルス維持時間を示す図である。
【図１５Ｂ】ビットの種類によるパルス維持時間を示す図である。
【図１５Ｃ】ビットの種類によるパルス維持時間を示す図である。
【図１６】図１５Ａないし図１５Ｃの規則によって表１において６段階で変更を要求する命令の波形の一例を示す図である。
【図１７Ａ】電圧変化装置の各伝達状態による回路図である。
【図１７Ｂ】電圧変化装置の各伝達状態による回路図である。
【図１７Ｃ】電圧変化装置の各伝達状態による回路図である。
【図１８Ａ】出力電圧の維持時間でディミング命令を伝達する方法を示す図である。
【図１８Ｂ】出力電圧の維持時間でディミング命令を伝達する方法を示す図である。
【図１８Ｃ】出力電圧の維持時間でディミング命令を伝達する方法を示す図である。
【発明を実施するための形態】
【００３２】
以下、本発明の好ましい実施例について、添付の図面を参照しながら詳細に説明する。図面のうち、同じ構成は可能な限り何れにも同じ符号を付けていることに留意されたい。以下の説明において具体的な特定事項が示されているところ、これは本発明のより全般的な理解を助けるために提供されたものである。さらに、本発明の説明において、関連した公知の機能、あるいは構成に対する具体的な説明が本発明の要旨を不明にする恐れがあると判断される場合は、その詳細な説明を省略する。
【００３３】
電力線通信の劣悪なチャンネル環境を克服するためには、以下の多様な技術が必要である。必要な技術には、先ず、これは電力線を媒介体にしてデータを周波数に載せるための周波数変調技術が必要であり、変調された通信信号を電力線と結合するカップリング技術と、受信端で希望する通信信号のみを受け入れ、不要な帯域の信号を取り除くためのフリーフィルタ技術、さらにエラー率を減らすために、コード化された符号体系に変えるチャンネルコーディング技術などがある。
【００３４】
このために、本発明に係る電力線通信装置及び方法は、送信端から伝達しようとするデータを、電力線を通じて供給される常用電源（例えば、２２０Ｖ／６０Ｈｚ  ｏｒ  ５０Ｈｚ、１００Ｖ／６０Ｈｚ  ｏｒ  ５０Ｈｚなど）の電圧（振幅）を変化させて送信し、これを受信端から電力線を通じて供給される電源の電圧をセンシングしてデータを受信する方法を提案する。特に、本発明に係る電力線通信装置及び方法は、電圧の変化時にも受信端に電力が途切れずに供給される電力線通信装置及び方法を提案する。
【００３５】
図２Ａまたは図２Ｂは、本発明に係る電力線通信装置及び方法による送受信端の基本原理を示す図であり、２２０Ｖ／６０Ｈｚの電源波形に対する一例として、１０Ｖの電圧変化装置を用いて電圧（振幅）を変化させて送信データ（１００１１０１０）を送信し、受信端では電力線を通じて供給される電源の電圧をセンシングしてデータ（１００１１０１０）を受信する。
図２Ａまたは図２Ｂに示すように、一周期の電力線送信または受信波形が一つのデータを表示する。一方、送受信側の間に約束した一定の周期が一つのデータを表示することもできる。受信端の電圧センシング装置はゼロ電圧（Ｚｅｒｏ  Ｃｒｏｓｓｉｎｇ）地点をスタート点にし、実効値（ＲＭＳ；Ｒｏｏｔ  Ｍｅｎａ  Ｓｑｕａｒｅ）電圧を測定することで、受信されたデータを受信する。
【００３６】
図３Ａまたは図３Ｂは、実際の電力線の使用環境における本発明に係る電力線通信装置及び方法による送受信端の応用原理を示す図であり、実際の電力線環境では常に電源波形２２０Ｖ／６０Ｈｚが維持されず、電力使用環境に応じてリアルタイムで電圧が変わり続く（急激に変わるよりは、１周期に亘って、大きくは２〜３Ｖ程度変わる。）。
【００３７】
図３Ａに示すように、送信端では２２０Ｖ／６０Ｈｚの電力線入力電圧が、時間の経過につれて２Ｖずつ下降し、また時間の経過につれて２Ｖずつ上昇する場合には、一例として、送信データが１であれば電圧変化装置での電圧の降下が発生せず、送信データが０である場合のみに１０Ｖの電圧を降下させて転送する。
【００３８】
これによって、図３Ｂに示すように、受信端では、初期に電力線を通じて受信された波形はＨｉｇｈ（１）に約束し、それ以後、約束された単位時間ごとに実効値電圧を測定して、限界値電圧（Ｖｔｈ、一例として６Ｖ）以上に下降した電圧であれば、最初のデータを０に決定してデータの受信を開始する。次に、受信信号の測定電圧が８Ｖ上昇し、Ｖｔｈより更に大きな上昇変化を見せると二番目のデータを１に決定する。同様に、それ以後、受信された信号の電圧を測定して、以前の電圧と比較した結果がＶｔｈより小さければ以前のデータを受信信号のデータに決定し、更に大きな上昇変化を見せると以前のデータとは関係なく１に、更に大きな下降変化を見せると以前のデータとは関係なく０に決定する。
【００３９】
次に、本発明に係る電力線通信装置及び方法を街路灯ランプディミング制御に適用した構成図である図４を参照しながら、実施例について詳細に説明する。説明の便宜のために、制御に必要な中央制御局及び携帯型無線端末は示していない。
【００４０】
図４に示すように、街路灯分電箱内に電圧変化装置を装着し、電力線を媒介体としてディミング命令を転送すると、街灯柱内に位置した電圧センシング装置が転送されたディミング命令を受信し、これに合わせてディミング用の安定器を制御してランプの明るさを制御する。この際、ディミング用安定器と電圧センシング装置を一体型に構成することもできる。
【００４１】
図４に示すように、本発明に係る電力線通信装置及び方法を適用した街路灯ランプのディミング制御方式は、従来のディミング方式とは異なって、別途の線路工事なしに既存の個別の街灯柱と街路灯分電箱に電圧変化装置と電圧センシング装置を設け、環境及び必要に応じて街路灯の明るさを制御（ディミング）することができ、これを通じてエネルギーを節約することができる。これによって、本発明に係る電力線通信装置及び方法を適用した街路灯ランプのディミング制御方式は、従来の電圧変化を通じたディミングシステム（例えば、多段のタブを通じたＮ段階の電圧変化方式）ではＮ段階にディミング段階が限られているのに対し、本発明ではデータ通信を通じて制御できるディミング段階の限界性を無くすことができる。つまり、送受信データのビット数がｎである場合、２ｎ段階の制御が可能である。
【００４２】
前述したように、本発明に係る電力線通信装置及び方法は、制御信号を転送するための別途の通信線路が不要であり、設置が容易であり、通信料金が不要であるという利点がある。
【００４３】
また、本発明に係る電力線通信装置及び方法は、既存の電力線通信の問題点を克服し、転送電力の限界を無くすことで距離の限界を有しないため、２２０Ｖ／６０Ｈｚが伝達される範囲であればどこへでも電力線通信が可能である。但し、電圧変化装置の上位端（韓電方向）には通信が不可能であり、負荷方向への単方向通信のみが可能であるという限界がある。
【００４４】
また、本発明に係る電力線通信装置及び方法は、電力線のＲＭＳ電圧を測定することで、電圧センシングの際にノイズが平均化されて消えるため、負荷干渉及び雑音の影響が少ない。また、６０Ｈｚに対する電力線のインピーダンスは従来使われていた電力線通信周波数に比べて非常に高いので（数百倍以上）信号減衰の不確実性が消えると共に、電圧変化装置を使用することで周波数変調装置を用いた周波数変調技術が不要であり、別途のカップラー（Ｃｏｕｐｌｅｒ）装置が不要である。
【００４５】
図５は、本発明に係る電力線通信装置及び方法に使用される電圧変化装置の回路図であり、図示されたように、単巻変圧器の２段のタブ（ＴＡＰ）の構成を通じて、送信しようとするデータ（Ｈｉｇｈ／Ｌｏｗ）によって高い電圧と低い電圧を転送する。
【００４６】
以下、図６Ａないし図６Ｃを参照しながら、図５の電圧変化装置の電圧変化時の状態を詳細に説明する。先ず、図６Ａは、出力が２００Ｖである場合の電圧変化装置の回路図であり、入力電圧２２０Ｖ／６０Ｈｚに対して１次巻線と２次巻線との巻線比を２２０：２００に調整することで、２００Ｖを出力電圧として出力する。この際、２次電圧は（１次電圧×２次巻線比／１次巻線比）の式から求められるので、入力電圧及び１、２次巻線比を代入すると２００Ｖの出力電圧が求められる。
【００４７】
次に、図６Ｂは、出力が２１０Ｖである場合の電圧変化装置の回路図であり、入力電圧２２０Ｖ／６０Ｈｚに対して１次巻線と２次巻線との巻線比を４４０：４２０に調整することで、２１０Ｖを出力電圧として出力する。同様に、２次電圧は（１次電圧×２次巻線比／１次巻線比）の式から求められるので、入力電圧及び１、２次巻線比を代入すると２１０Ｖの出力電圧が求められる。
【００４８】
図６Ｃは、非常状況の発生時に変圧器に加えられる電圧を遮断すると同時に、出力に入力電圧をバイパス（ＢＹＰＡＳＳ）するためのスイッチング回路図を示すものであり、ｓｗ５はオフ（ｏｆｆ）、ｓｗ６はオン（ｏｎ）に動作させることで、２２０Ｖ／６０Ｈｚの入力電圧がそのまま出力電圧として出力される。
【００４９】
次に、図７Ａないし図７Ｇを参照しながら図５の電圧変化装置が２００Ｖから２１０Ｖに電圧を変化させる過程を段階別に詳細に説明する。送信端と受信端のデータ伝達方法に関する以上の説明において、２２０Ｖと１０Ｖの電圧変化を一例として説明したが、２１０Ｖを参照電圧（Ｒｅｆｅｒｅｎｃｅ  ｖｏｌｔａｇｅ）にし、２００Ｖを１０Ｖに変化した段階で構成をしても動作は同一である。２１０ＶはＨｉｇｈ、２００ＶはＬｏｗを示す。
【００５０】
特に、以下で説明する図７Ａないし図７Ｇの電圧変化の過程は、スイッチを通じて流れていた電流がスイッチのオフ（ｏｆｆ）動作によって電流の流れが断絶されることによって発生するアーク（Ａｒｃ）特性を消去するためにダンピング（Ｄａｍｐｉｎｇ）抵抗を使用し、少なくとも１つ以上のスイッチが分路巻線を通じてオン（ｏｎ）されているようにすることで、分路巻線のスイッチの全体がオフ（ｏｆｆ）される現象を防止し、タブの変換時にも負荷（受信端）に供給される電源が遮断されず、特に、高圧ランプの場合、瞬間的な電圧の遮断がある場合に再点灯されない問題を解決する。また、受信部が安定的に電源の供給を受け、バッテリーなしに動作することができるという利点がある。
【００５１】
先ず、図７Ａは、変化１の段階であって、ｓｗ１をオン（ｏｎ）に動作させる段階であり、図７Ｂは、変化２の段階であって、ｓｗ１がオン（ｏｎ）の状態でｓｗ２をオン（ｏｎ）に動作させる。続いて、図７Ｃは、変化３の段階であって、ｓｗ１、２がオン（ｏｎ）の状態でｓｗ４をオン（ｏｎ）に動作させる段階であり、図７Ｄは、変化４の段階であって、ｓｗ１をオフ（ｏｆｆ）に動作させ、ｓｗ２、４のみをオン（ｏｎ）の状態にする。それ以後、図７Ｅは、変化５の段階であって、ｓｗ２、４がオン（ｏｎ）の状態でｓｗ３をオン（ｏｎ）に動作させる段階であり、図７Ｆは、変化６の段階であって、ｓｗ３、４はオン（ｏｎ）の状態に維持しながら、ｓｗ２をオフ（ｏｆｆ）に動作させる。最後に、図７Ｇは、変化７の段階であって、ｓｗ３のみをオン（ｏｎ）の状態を維持するようにｓｗ４をオフ（ｏｆｆ）に動作させる。
【００５２】
同様に、２１０Ｖから２００Ｖに電圧を変化させる場合には、前述した図７Ａないし図７Ｇの電圧変化の過程を逆に行う。
【００５３】
図８は、本発明に係る電力線通信装置及び方法を、街路灯ランプディミング制御方式に適用する場合の街路灯分電盤の構成を示す図である。
図８を参照する。制御部は、送信しようとするデータによって電圧変換装置のスイッチを制御して出力電圧を変更し、無線モデム（通信部）を通じてサーバとの通信を行い、サーバに各種の電力情報及び状態報告とサーバから伝達されたディミング変更要請データに応答して電圧変換装置のスイッチを制御する。
【００５４】
その他にも、本発明に係る電力線通信装置及び方法を適用した街路灯ランプのディミング制御方式の街路灯分電盤は、入出力電圧、電流、力率、電力などを測定する機能を含めており、内部状態表示用ディスプレイ装置（ＬＣＤ及びＬＥＤなど）及び設定変更要求用キーパッド（ＫＥＹＰＡＤ）などを含むことができる。
【００５５】
図９は、本発明に係る電力線通信装置及び方法に使用される受信部の電圧センシング装置のブロック図であって、電圧変換、及びＡ／Ｄコンバータは、送信部から電力線を通じて供給された受信電源（２１０Ｖ  ｏｒ  ２００Ｖ）からＣＰＵが測定できる５Ｖよりも低い電圧に変換して（ＰＴ  ｏｒ  ＣＴを利用）サンプリング（Ｓａｍｐｌｉｎｇ）した上、その値をＣＰＵに伝達する。続いて、ＣＰＵは電圧変換、及びＡ／Ｄコンバータから伝達された電圧をＲＭＳ（実効値）で計算した上、前述した受信部でのデータ判断方法を用いて受信データに変換し、その命令を解釈して、それに該当する制御信号を出力する。ＳＭＰＳは、受信された交流電圧をＣＰＵ及び電圧変換、及びＡ／Ｄコンバータが動作するための直流電圧に変換して提供する。
【００５６】
図１０Ａないし図１０Ｃは、図９の電圧センシング装置において、受信電源を５Ｖ以下の低い電圧に変換することに使用される電圧変換器の一例を示す図であって、図１０Ａ、図１０Ｂ、図１０Ｃは、それぞれ電力変換器（ＰＴ；Ｐｏｗｅｒ  Ｔｒａｎｓｆｏｒｍｅｒ）、抵抗分配器、電流変換器（ＣＴ；Ｃｕｒｒｅｎｔ  Ｔｒａｎｓｆｏｒｍｅｒ）を示すものである。
【００５７】
先ず、図１０Ａを参照する。電力変換器は、１次巻線比と２次巻線比との比率によって１次電圧が２次電圧に変換される方式で電圧変換、及びＡ／Ｄコンバータが読める電圧領域に電圧を低下させる。電力変換器は１次側と２次側の回路を電気的に絶縁させるメリットがある。
【００５８】
次に、図１０Ｂを参照する。抵抗比によって２２０Ｖの入力電圧を２．２Ｖの低い電圧に変化させる場合、回路が簡単であるという利点がある。
【００５９】
最後に、図１０Ｃを参照する。電流変換器が１００：１の比率である場合、１次電流が２．２ｍＡである場合、２次電流は２２ｕＡなので、Ｒ２にかかる電圧は２．２Ｖ（２２ｕＡ×１００ｋｏｈｍ）になる。電流変換器は１次側と２次側が電気的に絶縁されると共に、電力変換器に比べて大きさが小さいという利点がある。
【００６０】
図１１Ａ及び図１１Ｂは、図９の電圧センシング装置で電圧変換、及びＡ／Ｄコンバータがサンプリングを容易に行うことができるように交流を脈流に転換する電波整流回路とサンプリング方法をそれぞれ示す図である。この際、電波整流回路には半波整流回路を使用することもでき、Ｄｉｆｆｅｒｅｎｔｉａｌ  Ａ／Ｄ  ｃｏｎｖｅｒｔｅｒを使用する場合には、整流回路は省略することができる。サンプリングは１周期の間にｎ回サンプリングして、リアルタイムでサンプリングしたデジタル値をＣＰＵに伝達する。
【００６１】
図１２Ａまたは図１２Ｂは、図９の電圧センシング装置でＣＰＵが電圧のＲＭＳ（実効値）を計算して受信データを抽出する方法を示す図である。ＣＰＵは、図１２Ａに示すように、電圧変換、及びＡ／Ｄコンバータから伝達されたデータを持って実効値を計算し、図１２Ｂに示すように、受信データが検出される。一例として、１周期の実効値を計算したが、様々な周期に対する実効値を計算して平均を取っても関係ない。実効値は以下の数学式１によって求められる。
【００６２】
【数１】
0005964519.tif 000002
【００６３】
図１３は、図９の電圧センシング装置において、ＣＰＵがランプの明るさの調節（Ｄｉｍｍｉｎｇ）または電動機速度調節のための制御信号として使用するＰＷＭ信号の一例を示す図であって、ＰＷＭ信号のデューティ（ＤＵＴＹ）変化を通じて送信部から伝達したデータを受信部で受信し、それに合う制御信号に変化させることができる。
【００６４】
次に、以下の表１は、送受信される制御データを用いてディミンググ命令を伝達するための各段階別命令データの一例として、１６段階のディミング命令を伝達するためには４ビットが必要であるが、通信エラーを補強するために、ディミング命令４ビットで各ビットの４ビットを追加して、計８ビットを示した。
【００６５】
【表１】
0005964519.tif 000003
【００６６】
図１４は、表１による命令転送フレームのフォーマットを示す図であり、図１５Ａないし図１５Ｃは、ビットの種類によるパルス維持時間を示す図であり、スタートビットは基本時間の２倍以上Ｌｏｗを維持した後、Ｈｉｇｈに変わり、ＨｉｇｈビットはＨｉｇｈとＬｏｗの状態に何れも基本時間を維持し、ＬｏｗビットはＨｉｇｈ状態に基本時間を維持した後、Ｌｏｗの状態に基本時間の２倍を維持する。基本時間（Ｔ）は秒単位に設定される。
【００６７】
図１５Ａないし図１５Ｃの規則によって、表１において、６段階に変更を要求する命令の波形の一例を図１６に示す。
図１６を参照する。６段階に変更を要求する命令の波形は０×６９を送らなければならないので、スタート信号の後、Ｌ、Ｈ、Ｈ、Ｌ、Ｈ、Ｌ、Ｌ、Ｈを送る。若し、基本時間（Ｔ）を１秒に設定すれば計２２Ｔとして２２秒が所要される。
【００６８】
図１７Ａないし図１７Ｃに各伝達状態による電圧変化装置の回路をそれぞれ示す。図１７Ａは、アイドル（Ｉｄｌｅ）状態のスイッチ開閉状態を示すものであり、図１７Ｂは、Ｈｉｇｈビット伝達状態のスイッチ開閉状態を、図１７Ｃは、Ｌｏｗビット伝達状態のスイッチ開閉状態を示すものである。
【００６９】
図１８Ａないし図１８Ｃは、出力電圧の維持時間でディミング命令を伝達する方法を示すものである。図１８Ａは、変更された出力電圧の維持時間でディミング命令を伝達する方法であって、基本時間のｎ倍の間Ｌｏｗを維持した後、Ｈｉｇｈに変化するように動作し、基本時間（Ｔ）は秒単位で設定する。ｎが１であればバイパス命令であり、ｎが２であれば１段階、ｎが３であれば２段階の手順にディミング命令を伝達する。
【００７０】
図１８Ｂは、変更された出力電圧の維持時間でディミング命令を伝達し、図１８Ａとは異なって、基本時間のｎ倍の間Ｈｉｇｈを維持した後、Ｌｏｗに変化する。同様に、ｎが１であればバイパス命令であり、ｎが２であれば１段階、ｎが３であれば２段階の手順にディミング命令を伝達する。
【００７１】
図１８Ｃは、出力電圧の変更周期でディミング命令を伝達する方法であり、基本時間（Ｔ）のｎ倍の周期で設定回数の間、Ｌｏｗ及びＨｉｇｈを変更する。図示されたように、バイパス命令は基本時間（Ｔ）の１倍周期で設定回数の間、Ｌｏｗ及びＨｉｇｈを変更し、１段階の命令は基本時間（Ｔ）の２倍周期で設定回数の間、Ｌｏｗ及びＨｉｇｈを変更する方式でディミング命令を伝達することができる。
【００７２】
前述したように、本発明に係る電力線通信装置及び方法は、制御信号を転送するための別途の通信線路が不要であり、設置が容易であり、通信料金が不要である。
【００７３】
また、本発明に係る電力線通信装置及び方法は、転送電力の限界をなくすことで、距離の限界を有しないため、２２０Ｖ／６０Ｈｚが伝達される範囲なら何れも電力線通信が可能であり、電力線のＲＭＳ電圧を測定することで、電圧センシングの際にノイズが平均化して消えるため、負荷干渉及び雑音の影響が少なく、６０Ｈｚに対する電力線のインピーダンスは、従来に使われていた電力線通信周波数に比べて非常に高いので（数百倍以上）信号減衰の不確実性が消えると共に、電圧変化装置を使用することで、周波数変調装置を用いた周波数変調技術が不要であり、別途のカップラー（Ｃｏｕｐｌｅｒ）装置が不要である。
【００７４】
これによって、本発明に係る電力線通信装置及び方法を適用した街路灯ランプのディミング制御方式は、別途の線路工事なしに既存の個別の街灯柱と街路灯分電箱に電圧変化装置と電圧センシング装置を設け、環境及び必要に応じて街路灯の明るさを制御（ディミング）することができ、これを通じてエネルギーを節約することができる。
【００７５】
また、本発明に係る電力線通信装置及び方法を適用した街路灯ランプのディミング制御方式は、従来の電圧変化を通じたディミングシステムとは異なって、データ通信を通じて制御できるディミング段階を送受信データのビット数がｎである場合、２ｎ段階の制御が可能である。
【００７６】
一方、本発明の詳細な説明では、具体的な実施例について説明したが、本発明の範囲を超えない限度内で様々な変形が可能であることは言うまでもない。よって、本発明の範囲は説明された実施例に限って定めてはいけないと共に、後述する特許請求の範囲だけでなく、この特許請求の範囲と均等なものによって定めるべきである。
【図１Ａ】
0005964519.tif 000004
【図１Ｂ】
0005964519.tif 000005
【図２Ａ】
0005964519.tif 000006
【図２Ｂ】
0005964519.tif 000007
【図３Ａ】
0005964519.tif 000008
【図３Ｂ】
0005964519.tif 000009
【図４】
0005964519.tif 000010
【図５】
0005964519.tif 000011
【図６Ａ】
0005964519.tif 000012
【図６Ｂ】
0005964519.tif 000013
【図６Ｃ】
0005964519.tif 000014
【図７Ａ】
0005964519.tif 000015
【図７Ｂ】
0005964519.tif 000016
【図７Ｃ】
0005964519.tif 000017
【図７Ｄ】
0005964519.tif 000018
【図７Ｅ】
0005964519.tif 000019
【図７Ｆ】
0005964519.tif 000020
【図７Ｇ】
0005964519.tif 000021
【図８】
0005964519.tif 000022
【図９】
0005964519.tif 000023
【図１０Ａ】
0005964519.tif 000024
【図１０Ｂ】
0005964519.tif 000025
【図１０Ｃ】
0005964519.tif 000026
【図１１Ａ】
0005964519.tif 000027
【図１１Ｂ】
0005964519.tif 000028
【図１２Ａ】
0005964519.tif 000029
【図１２Ｂ】
0005964519.tif 000030
【図１３】
0005964519.tif 000031
【図１４】
0005964519.tif 000032
【図１５Ａ】
0005964519.tif 000033
【図１５Ｂ】
0005964519.tif 000034
【図１５Ｃ】
0005964519.tif 000035
【図１６】
0005964519.tif 000036
【図１７Ａ】
0005964519.tif 000037
【図１７Ｂ】
0005964519.tif 000038
【図１７Ｃ】
0005964519.tif 000039
【図１８Ａ】
0005964519.tif 000040
【図１８Ｂ】
0005964519.tif 000041
【図１８Ｃ】
0005964519.tif 000042